(57)【特許請求の範囲】
【請求項１】
複数枚のディスクと、
上記複数枚のディスクを回転させる１個以上のスピンドルモータと、
上記スピンドルモータの回転を制御するスピンドルサーボ回路と、
上記スピンドルサーボ回路で回転制御されたディスク上にデータを記録する複数個の光ヘッドとから成る光ディスク記録装置において、
入力データを複数のチャンネルに分配する分配回路と、
各チャンネルにおいて、分配されたデータを連続的に書き込み可能で、上記スピンドルサーボ回路の回転制御用クロックに同期してデータを読み出し、光ヘッドへ送出するＦＩＦＯメモリと、
上記ディスクの欠陥セクタを検出する欠陥セクタ検出回路と、
上記欠陥セクタ検出回路が検出した欠陥セクタの存在期間で上記ＦＩＦＯメモリからの読み出しを停止するゲート回路と、
記録開始アドレスへシーク完了を検知するシーク完了検知回路と、
全チャンネルからのシーク完了を検知して記録開始指令を各チャンネルに送出する全シーク完了検知回路と
を設け、各チャンネルでは、記録開始指令を受けた後から、ＦＩＦＯメモリから読み出されたデータを欠陥セクタ以外のセクタに記録するように構成したことを特徴とする光ディスク記録装置。
【請求項２】
複数枚のディスクと、
上記複数枚のディスクを回転させる１個以上のスピンドルモータと、
上記スピンドルモータの回転を制御するスピンドルサーボ回路と、
上記スピンドルサーボ回路で回転制御されたディスク上にデータを記録する複数個の光ヘッドとから成る光ディスク記録装置において、
入力データを複数のチャンネルに分配する分配回路と、
各チャンネルにおいて、分配されたデータを連続的に書き込み可能で、上記スピンドルサーボ回路の回転制御用クロックに同期してデータを読み出し、光ヘッドへ送出するＦＩＦＯメモリと、
上記ディスクの欠陥セクタを検出する欠陥セクタ検出回路と、
上記欠陥セクタの存在する期間または上記光ヘッドの１回転に１度の記録を停止させる期間で信号を出力する一回転交替判定回路と、
上記一回転交替判定回路の出力に従い記録停止セクタの期間中上記ＦＩＦＯメモリからの読み出しを停止するゲート回路と、
記録開始アドレスへのシーク完了を検知するシーク完了検知回路と、
全チャンネルからのシーク完了を検知して記録開始指令を各チャンネルに送出する全シーク完了検知回路と
を設け、各チャンネルでは、記録開始指令を受けた後から、ＦＩＦＯメモリから読み出されたデータを記録停止セクタ以外のセクタに記録するように構成したことを特徴とする光ディスク記録装置。
【請求項３】
複数枚のディスクと、
上記複数枚のディスクを回転させる１個以上のスピドルモータと、
上記スピンドルモータの回転を制御するスピンドルサーボ回路と、
上記スピンドルサーボ回路で回転制御されたディスク上にデータを記録する複数個の光ヘッドとから成る光ディスク記録装置において、
入力データを複数のチャンネルに分配する分配回路と、
各チャンネルにおいて、分配されたデータを連続的に書き込み可能で、上記スピンドルサーボ回路の回転制御用クロックに同期してデータを読み出し、光ヘッドへ送出するＦＩＦＯメモリと、
上記ディスクの欠陥セクタを検出する欠陥セクタ検出回路と、
上記ＦＩＦＯメモリに蓄積されたデータ量を検知するＦＩＦＯメモリ残量検知回路と、
上記欠陥セクタの存在する期間、光ディスクの１回転に１度の記録を停止させる期間、ＦＩＦＯメモリ残量値が一定値以下になったときには光スポットを１トラック前にジャンプさせる期間で信号を出力する記録制御回路と、
上記記録制御回路の出力に従い記録停止期間中ＦＩＦＯメモリからの読み出しを停止するゲート回路と、
記録開始アドレスへのシーク完了を検知するシーク完了検知回路と、
全チャンネルからのシーク完了を検知して記録開始指令を各チャンネルに送出する全シーク完了検知回路と
を設け、各チャンネルでは、記録開始指令を受けた後から、ＦＩＦＯメモリから読み出されたデータを記録停止セクタ以外のセクタに記録するように構成したことを特徴とする光ディスク記録装置。
【発明の詳細な説明】
【０００１】
【産業上の利用分野】
この発明は光ディスクに連続データを記録する装置に関するものである。
【０００２】
【従来の技術】
従来の光ディスク装置へのデータ記録において、ＪＩＳ  Ｘ  ６２７１の１３０ｍｍ書換型光ディスクカートリッジの規格書にて述べられているように、ディスク上に訂正不能な欠陥セクタがある場合、欠陥セクタに達するといったん交替セクタへシークして欠陥セクタに記録すべきデータを記録し、その後のデータは欠陥セクタの直後のセクタに再度シークしてから続けて記録するようにしている。また、あらかじめ欠陥セクタを検出してメモリに登録した場合には、そのセクタをスキップして記録を行うことが記されている。欠陥セクタに到達したときに、これらの処理を行うと、交替セクタへのシーク時間分だけ記録が不連続になり、また、セクタをスキップして記録する場合にも、スキップしている期間記録が欠落することになる。コンピュータ用途では、データをハンドシェイクしながら記録するため問題ないが、画像データのような高速の連続データの記録の場合には、この記録の不連続性による再生画像の欠落が生じることになり、問題となる。このようなことが起こらないようにするため、訂正不能が起こらないように強い訂正符号を付加すると同時に、訂正不能な大欠落のないディスクを選別する必要があった。
【０００３】
【発明が解決しようとする課題】
従来の光ディスク装置で連続データを記録する場合には、このようなディスク上の欠陥を避けるために、強力なエラー訂正符号を付加する必要があった。この場合、希にしか現れない欠陥のために強力な訂正符号を付加したため冗長度が高くなり、記録できるデータ量が低下する問題があった。また、訂正符号の能力に限界があり、大きな欠陥に対して訂正できない場合も存在した。このような訂正不能となる大きな欠陥がないディスクを選別する場合には、ディスクの歩留まり低下が問題になった。
【０００４】
この発明は上記のような問題点を解決するためになされたもので、連続データを記録する場合、ディスクに訂正不能な大きな欠陥が存在しても連続データを途切れることなく記録することができる光ディスク記録装置を得ることを目的とする。
【０００８】
【課題を解決するための手段】
この発明に係る第４の発明は複数枚のディスクと複数個の光ヘッドを有する光ディスク装置において、入力データを複数のチャンネルに分配する分配回路と、各チャンネルに分配されたデータを連続的に書き込むＦＩＦＯメモリと、ディスクの欠陥セクタを検出する欠陥セクタ検出回路と、欠陥セクタの期間中ＦＩＦＯメモリからの読み出しを停止するゲート回路と、記録開始アドレスへのシーク完了を検知するシーク完了検知回路と、全チャンネルからのシーク完了を検知して記録開始指令を各チャンネルに送出する全シーク完了検知回路とを設け、各チャンネルでは、記録開始指令を受けた後から、ＦＩＦＯメモリから読み出されたデータを欠陥セクタ以外のセクタに記録するように構成したことを特徴とする。
【０００９】
この発明の第５の発明は複数枚のディスクと複数個の光ヘッドを有する光ディスク装置において、入力データを複数のチャンネルに分配する分配回路と、各チャンネルに、分配されたデータを連続的に書き込むＦＩＦＯメモリと、ディスクの欠陥セクタを検出する欠陥セクタ検出回路と、欠陥セクタかまたは一回転の間欠陥セクタが検出されない時正常セクタの内１セクタの記録を停止させる信号を出力する一回転交替判定回路と、交替判定回路の出力に従い記録停止セクタの期間中ＦＩＦＯメモリからの読み出しを停止するゲート回路と、記録開始アドレスへのシーク完了を検知するシーク完了検知回路と、全チャンネルからのシーク完了を検知して記録開始指令を各チャンネルに送出する全シーク完了検知回路とを設け、各チャンネルでは、記録開始指令を受けた後から、ＦＩＦＯメモリから読み出されたデータを記録停止セクタ以外のセクタに記録するように構成したことを特徴とする。
【００１０】
この発明の第６の発明は、複数枚のディスクと複数個の光ヘッドを有する光ディスク装置において、入力データを複数のチャンネルに分配する分配回路と、各チャンネルに、分配されたデータを連続的に書き込むＦＩＦＯメモリと、ディスクの欠陥セクタを検出する欠陥セクタ検出回路と、上記ＦＩＦＯメモリに蓄積されたデータ量を検知するＦＩＦＯメモリ残量検知回路と、欠陥セクタの期間中およびＦＩＦＯメモリ残量値が一定値以下になったときディスクの１回転期間中記録を停止させる信号を出力するとともにＦＩＦＯメモリ残量値が一定値以下になったときには光スポットを１トラック前にジャンプさせる記録制御回路と、上記記録制御回路の出力に従い記録停止期間中ＦＩＦＯメモリからの読み出しを停止するゲート回路と、記録開始アドレスへのシーク完了を検知するシーク完了検知回路と、全チャンネルからのシーク完了を検知して記録開始令を各チャンネルに送出する全シーク完了検知回路とを設け、各チャンネルでは、記録開始指令を受けた後から、ＦＩＦＯメモリから読み出されたデータを記録停止セクタ以外のセクタに記録するように構成したことを特徴とする。
【００１１】
【作用】
この発明の第１の発明は、ＦＩＦＯメモリに連続データを入力するとともに、光ディスクの欠陥セクタを検出したときＦＩＦＯメモリからの読み出しを停止するように構成したので、光ディスクに訂正不能な大きな欠陥がある場合でも連続データを見かけ上途切れることなく記録でき性能が向上する。
【００１２】
また、この発明の第２の発明は、一回転の間欠陥が検出されないとき正常セクタの内１セクタを記録停止するように構成したので、欠陥がないときにＦＩＦＯメモリが減り続けることがなくなるため、ＦＩＦＯメモリ容量が少なくてすみ、第１の発明の構成に対して安価にできる。
【００１３】
この発明の第３の発明は、ＦＩＦＯメモリ残量を管理し、ＦＩＦＯメモリに蓄積しているデータ量が一定値以下になったとき、１回転記録を停止するように構成したので、ディスクの記録容量を有効に使え、また任意の記録速度に対応でき、性能が更に向上する。
【００１４】
また、この発明の第４の発明は第１の構成に対して複数枚のディスクに同時に記録できるようになるので、第１の発明の構成に対して、高速化・大容量化でき、性能が向上する。
【００１５】
この発明の第５の発明は、第２の発明の構成に対して複数枚のディスクに同時に記録できるようになるので、高速化・大容量化でき、性能が向上する。
【００１６】
この発明の第６の発明は、第３の発明の構成に対して複数枚のディスクに同時に記録できるようになるので、高速化・大容量化でき、性能が向上する。
【００１７】
【実施例】
実施例１．
以下、この発明の一実施例を図について説明する。図１において、１は記録データを一旦蓄積するＦＩＦＯメモリ、２はＦＩＦＯメモリ１からの出力信号にディスクの微小欠陥による誤りを訂正するための誤り訂正符号を付加する誤り訂正符号付加回路、３はディスク１１の伝送特性に適した信号に変調する変調回路、４はＦＩＦＯメモリ１への読み出しクロックを制御するゲート回路、５は欠陥セクタメモリ６の出力である訂正不能欠陥セクタ番号とディスク１１から再生されたセクタと照合して一致したとき、欠陥セクタの続く時間、ゲート回路４にＯＦＦ信号を出力する欠陥セクタ一致判定回路、６は予めディスク毎に測定したディスク１１上の訂正不能欠陥セクタ番号を記憶する欠陥セクタメモリ、７はディスク１１にプリフォーマットされたセクタアドレス信号を検出するＩＤ検出回路、８はＦＩＦＯメモリ読み出しクロックを生成するとともにスピンドルモータの回転数を制御するクロックを発生する水晶発振器、９はディスク１１の回転を制御するスピンドル制御回路、１０はディスク１１へ情報を記録する光ヘッド、１１はディスク、１２はスピンドルモータ、１３は連続データの入力端子、１４は連続データに同期して入力されるクロック信号の入力端子、１５は記録すべき入力データ、１６はＦＩＦＯメモリ１から読み出された記録するデータ、１７はＦＩＦＯメモリ１の読み出しクロックである。欠陥セクタ一致判定回路５、欠陥セクタメモリ６およびＩＤ検出回路７で欠陥セクタ検出回路５０を構成している。
【００１８】
図２に動作説明図を示す。図を使って以下に動作説明する。入力端子１３より入力された連続データ１５は入力端子１４から入力される書き込みクロック信号に同期して連続的にＦＩＦＯメモリ１に蓄積される。スピンドルモータ１２の回転数ｆ０  はディスク１１の訂正不能欠陥セクタの、トータルのセクタ数に対する比の分以上に従来例の回転数、即ち、欠陥がない場合の記録速度と記録線密度から決まる回転数に比べて増加させておく。即ち、訂正不能セクタ率をＤとすると、回転数ｆ０  は従来例の回転数ｆに対して、
ｆ０  ≧ｆ×（１＋Ｄ）
とすればよい。ＦＩＦＯメモリ１より読み出されたデータは誤り訂正符号付加回路２にて誤り訂正符号を付加し、変調回路３により変調されたデータは光ヘッド１０を介してレーザ変調することによりディスク１１上にデータを記録する。
【００１９】
図２は訂正不能セクタ率Ｄ＝０．２、回転数を従来例に対して１．２倍に増加させ、読み出しクロック周波数ｆ２  を入力クロック周波数ｆ１  に対して１．２倍にした例を示す。ＦＩＦＯメモリ１へのデータが２セクタ分蓄積されたところで記録を開始する。ディスク１１上にあらかじめプリフォーマットされたトラック番号及びセクタ番号で指定されるアドレスが記録開始指定アドレスと一致したときから記録を開始してもよい。この場合、２セクタより多くのデータがＦＩＦＯメモリ１に蓄積された場合には、２セクタを越える古いデータは消去してもよい。長時間の画像データの記録の場合には、記録開始直後のデータは重要でない場合が多いためである。記録しながら、ディスク１１上にあらかじめプリフォーマットされたアドレス信号を光ヘッドを介して再生し、ＩＤ検出回路７にて、順次記録すべきセクタのアドレスを検出する。
【００２０】
図２に示すＩＤ検出回路出力のパルスは検出されたアドレス情報のタイミングを示す。検出されたアドレス情報は欠陥セクタ一致判定回路５に送付され、欠陥セクタメモリ６にあらかじめ登録された訂正不能欠陥セクタアドレスと照合する。図２に示すように、訂正不能な欠陥セクタ１８に一致したとき欠陥セクタ一致判定回路５は１セクタ分出力信号を“Ｌ”にしてゲート回路４をＯＦＦにする。これにより、読み出しクロック１７は訂正不能セクタ期間中のみＯＦＦとなり、データ記録を中断する。訂正可能なセクタに戻ったとき読み出しクロックを再び送出し、記録を続行する。その間、入力データ１５は途切れることなく連続的に入力する。入力データが６セクタ入力したとき、記録データは４セクタの読み出しが完了しており、また、入力データが１０セクタ入力したとき記録データは８セクタを読み出し完了しており、ＦＩＦＯメモリ１に残存する量はその差２セクタであり、記録開始時の量と同じであり、記録がこのまま継続してもＦＩＦＯメモリ１の量がなくなることがないため、記録が継続できる。
【００２１】
実施例２．
図３にこの発明の第２の実施例を示す。１９は一回転交替判定回路であり、スピンドルサーボ回路９から一回転に一発の回転パルス信号を受け、欠陥セクタ一致判定回路５からの出力が一回転の期間中発生しなかった場合、自動的に一回転に１セクタだけゲートＯＦＦ信号を発生させる回路である。その他の構成については、実施例１と同じであある。
【００２２】
次に動作を説明する。実施例１と動作の異なる部分のみ説明する。実施例１では、訂正不能セクタが一定時間発生しない場合、その間のデータをＦＩＦＯメモリ１で蓄積しておく必要がある。その量は実施例１の場合には、１セクタにつき１／４セクタ分ずつＦＩＦＯの残量が減少するため、例えば１０００セクタの間欠陥がない場合には、２５０セクタ分、５１２Ｂ／セクタとしたとき、１２５ＫＢのＦＩＦＯが最低限必要になり、１２５ＫＢの蓄積後に記録を開始することになる。本実施例では、１回転で１セクタを交替セクタとして確保しておき、１回転中に欠陥セクタが存在しなかった場合には、一回転交替判定回路１９によりゲートＯＦＦ信号を発生させることにより、必ず一回転で１セクタの記録中断を発生させる。図４に本実施例の動作を説明する。欠陥セクタ一致判定回路５までの動作は同じであり、欠陥セクタメモリに登録された欠陥セクタと一致したとき欠陥セクタ一致判定回路５の出力は“Ｌ”になる。しかし、一回転中に欠陥のない期間２１では、回転パルス信号直後のセクタの期間２０において、出力を“Ｌ”としてゲートをＯＦＦにする。この場合のＦＩＦＯメモリ１の容量は、回転パルス信号と欠陥セクタによる記録中断が連続した分のメモリが最小限必要であり、本実施例では、ＦＩＦＯメモリ容量は最低限２セクタ分あればよいことになる。また、一回転に必ず１セクタの記録中断処理を行うため、訂正不能欠陥量に関係なく、記録時間とトラック・セクタ位置が一意に決まるためアドレス管理が容易になるメリットがある。しかし、この実施例では、訂正不能セクタだけでなく１回転に１セクタが交替セクタに使われるため、記録容量は低下する。
【００２３】
実施例３．
図５にこの発明の第３の実施例を示す。２２は記録制御回路、２３はＦＩＦＯメモリ残量検知回路、２４は連続したスパイラル状のトラックの上を光スポットを追従制御させるトラッキングサーボ回路である。その他の構成については実施例１に同じである。
【００２４】
図６について、本実施例の動作を説明する。図中の記録セクタ番号は記録開始セクタからの通し番号である。ディスク１回転を５セクタとし、１回転中に訂正不能セクタは１個以下と仮定する。従って、ディスク回転数を従来の回転数に比べて５／４倍に増加させる。入力データが４セクタ分入力したとき、ディスク上には５セクタ分記録できる。図６（ａ）は欠陥がない場合の動作を示す。ここでは、入力データ１５が２セクタ分ＦＩＦＯメモリ１に入力された時記録開始する。ＦＩＦＯメモリ残量検知回路２３は例えばアップダウンカウンタで構成され、ＦＩＦＯメモリ書き込みクロックでカウントアップ、ＦＩＦＯメモリ読み出しクロックでカウントダウンする。記録開始時、ＦＩＦＯメモリ１には２セクタ分のデータが残っている。１回転後にＦＩＦＯメモリ１は１セクタ分残り、２回転するとＦＩＦＯメモリ残量はゼロになり、ＦＩＦＯメモリ残量検知回路２３から出力パルスが発生する。このとき、記録制御回路２２は１回転分ゲート回路４への出力信号を“Ｌ”にして、１回転記録を停止すると同時に、トラッキングサーボ２４にジャンプ指令を出す。
【００２５】
トラッキングサーボ２４はジャンプ指令を受けると、光ヘッド１０内のトラッキングアクチュエータにリバース方向にジャンプパルスを発行して、１回転前のトラックに光スポットを戻す。この様子を図７にて説明する。図７（ａ）は欠陥のない場合のディスク１１上の記録配置を示す。記録セクタ［１０］の直後にジャンプ指令を受け、ディスク面上で光スポットは記録セクタ［６］の上を走査する。１回転後には、ジャンプ指令が発せられた直前の記録セクタ［１０］に戻り、以後、記録セクタ［１１］から記録を再開する。これにより、ディスク１１上では記録セクタは連続することになる。この例では、２０セクタ毎に１回転記録を中断する。ＦＩＦＯメモリ残量は最大４セクタ分になり、ＦＩＦＯメモリ１は４セクタ分以上が必要である。
【００２６】
図６（ｂ）、図７（ｂ）に欠陥が存在する場合の動作を示す。記録開始３回転の間、訂正不能セクタが存在している場合を示す。この場合、訂正不能セクタでは欠陥セクタ一致判定回路５から一致パルスが発生し、訂正不能セクタに記録をしない。その間、ＦＩＦＯメモリ残量は２セクタのままである。欠陥がなくなると、１回転毎にＦＩＦＯメモリ残量は１セクタずつ減少し、ＦＩＦＯメモリ残量がゼロになると、前記同様１回転記録を中断するとともに、ジャンプ指令を発行して、１回転前のトラックに戻る。以後の動作は図６（ａ）、図７（ａ）と同じである。
【００２７】
この実施例では、ＦＩＦＯメモリ容量は１回転分必要であるが、ディスク１１上で記録をスキップするセクタは訂正不能なセクタのみであり、記録容量が最大限有効に使える。また、ＦＩＦＯメモリ残量を管理しながら記録を行うため、入力のデータ速度がｆ２  の４／５倍以下の任意の速度に対応できることは言うまでもない。
【００２８】
実施例４．
図８にこの発明の第４の実施例を示す。複数枚のディスク１１に入力データを分配して記録する装置に拡張したものである。２５は入力データを２チャンネルに分配する分配回路、２６は入力クロックを２チャンネルに分配する分配回路、２７は記録制御回路、２８はシーク制御回路、２９はシーク完了検知回路、３０は全シーク完了検知回路、１０１はチャンネル１回路ブロック、１０２はチャンネル２回路ブロック、１０３は分配ブロックである。その他の番号は実施例１と同一のものを示す。
【００２９】
次に動作について説明する。入力端子１３からの入力データは入力端子１４からの入力クロックを使って、分配回路２５により、１バイト単位または１ビット単位に２チャンネルのデータに分配される。入力クロックも同様に分配回路２６により、２つに分配され、半分のクロック速度になる。分配されたそれぞれのデータ速度も入力データ速度の半分になる。分配されたデータ及びクロックにより、各チャンネルにデータを記録する。水晶発振器８、スピンドルサーボ回路９、スピンドルモータ１２は２チャンネルに対して１個であり、共通に使用する。図９にて、複数チャンネルの記録制御法を以下に説明する。各チャンネルの記録制御回路２７からシーク制御回路２８に目的アドレスへのシーク指令信号を発行する。シーク指令を受けたシーク制御回路２８は光ヘッド１０内のステッピングモータまたはリニアモータ等を駆動して目的トラックへシーク動作を行う。各チャンネル間で光ヘッドのシーク開始位置の違い、ディスク偏心量の違い等により、シーク動作期間は必ずしも一致せず異なるのが一般的である。シーク動作が完了した後、ＩＤ検出回路７にて、光ヘッドが到達したトラックのアドレスを検出してシーク完了検知回路２９に出力する。あらかじめ目的アドレスを設定されたシーク完了検知回路２９は、目的アドレスに一致すると、シーク完了検知信号を分配ブロック内の全シーク完了検知回路３０に出力する。両チャンネルから出力されたシーク完了検知信号は全シーク完了検知回路３０にてＡＮＤ処理され、全シーク完了検知信号を得る。
【００３０】
この信号の立上がりにて、両チャンネルに記録開始指令を発行する。この信号を受けた記録制御回路２７は欠陥セクタ一致判定回路５の出力信号から出力される欠陥セクタ信号とＡＮＤを取りながら、ゲート回路４に記録のためのＦＩＦＯメモリ読み出しクロック信号を発生させ、記録を開始する。図９に示すように、２枚のディスク１１間のアドレス位相、即ち、ＩＤ検出回路出力タイミングがずれている場合には、各チャンネルの記録開始タイミング、即ち、ゲート回路入力信号の立ち上がり位置はＩＤ検出回路出力タイミングに応じてずれることになる。以後の各チャンネルの記録過程は実施例１の説明と同様であり、以後の動作説明は省略する。
【００３１】
以上のようにこの発明によれば、各チャンネルのシーク動作期間が異なる場合でも、それぞれのチャンネルに分配した記録データをほぼ同時に各チャンネルに記録することができ、１チャンネルだけ先行記録することによるＦＩＦＯメモリ容量の増大を避けることができる。記録開始指定トラック・セクタアドレスに一致して記録開始するためには、全シーク完了検知されるまで、各チャンネルのシーク動作が完了した後は指定アドレスを含む位置でスチル動作させ、記録指令を受信した直後の指定アドレスから記録を開始すればよい。複数チャンネルに分配して記録することにより、１チャンネルのデータ速度の複数倍の高速データ速度の入力データに対応して、訂正不能セクタがある場合でも連続データの記録が可能になる。各チャンネルにおける欠陥に対する効果は実施例１と同一であることは言うまでもない。この実施例では、複数枚のディスクを１つのスピンドルで回転させたが複数個のスピンドルを回転同期させながら複数枚のディスクを回してもよい。
【００３２】
実施例５．
図１０にこの発明の第５の実施例を示す。実施例４と同様に、複数枚のディスク１１に入力データを分配して記録する装置であり、実施例２の構成を複数枚ディスクに拡張したものである。
【００３３】
動作については、実施例２と実施例４で説明しているので、詳細を省略する。本実施例では、各チャンネルのＦＩＦＯメモリ容量は最低限２セクタ分あればよい。また、一回転に必ず１セクタの記録中断処理を行うため、訂正不能欠陥量に関係なく、記録時間とトラック・セクタ位置が一意に決まるためアドレス管理が容易になるメリットがある。特に、訂正不能セクタ率が異なるディスクの組合せであっても、必ず、１回転で１セクタのスキップ処理をするため、ディスク間でほぼ一致したセクタ番号への記録を行うことになり、複数ディスクに対して記録開始または記録終了アドレスがひとつの統一アドレスで管理できるメリットがある。しかし、この実施例では、訂正不能セクタだけでなく１回転に１セクタが交替セクタに使われるため、記録容量は低下する。
【００３４】
実施例６．
図１１にこの発明の第６の実施例を示す。実施例４と同様に、複数枚のディスク１１に入力データを分配して記録する装置であり、実施例３の構成を複数枚ディスクに拡張したものである。
【００３５】
動作については、実施例３と実施例４で説明しているので、詳細を省略する。本実施例では、各チャンネルのＦＩＦＯメモリ容量は１回転分必要であるが、ディスク上で記録をスキップするセクタは訂正不能なセクタのみであり、記録容量が最大限有効に使える。また、ＦＩＦＯメモリ残量を管理しながら記録を行うため、各チャンネルの入力データ速度がｆ２  の４／５倍以下、即ち、分配プロックへの入力速度はその２倍の任意の速度に対応できることは言うまでもない。
【００３７】
【発明の効果】
以上のように、この発明によれば、入力データを複数チャンネルに分配する分配回路と、分配されたデータをそれぞれ連続的に書き込むＦＩＦＯと、各ディスクの欠陥セクタを検出する欠陥セクタ検出回路と、各ディスクの欠陥セクタの期間中ＦＩＦＯからの読み出しを停止するゲート回路と、各チャンネルのシーク完了を検知するシーク完了検知回路を設け、全チャンネルがシーク完了した後に、ＦＩＦＯから読み出し開始したデータを各ディスクに記録するように構成したので、訂正不能な大きな欠陥がある場合でも高速な連続データを少ないＦＩＦＯ量で途切れることなく記録できる効果がある。
【図面の簡単な説明】
【図１】この発明の第１の実施例による光ディスク記録装置を示す図である。
【図２】この発明の第１の実施例の動作説明図である。
【図３】この発明の第２の実施例による光ディスク記録装置を示す図である。
【図４】この発明の第２の実施例の動作説明図である。
【図５】この発明の第３の実施例による光ディスク記録装置を示す図である。
【図６】この発明の第３の実施例の動作説明図である。
【図７】この発明の第３の実施例のディスク上の記録セクタ配置図である。
【図８】この発明の第４の実施例による光ディスク記録装置を示す図である。
【図９】この発明の第４の実施例の動作説明図である。
【図１０】この発明の第５の実施例による光ディスク記録装置を示す図である。
【図１１】この発明の第６の実施例による光ディスク記録装置を示す図である。
【符号の説明】
１  ＦＩＦＯメモリ、４  ゲート回路、５  欠陥セクタ一致判定回路、６  欠陥セクタメモリ、６  ＩＤ検出回路、９  スピンドルサーボ回路、１０  光ヘッド、１１  ディスク、１２  スピンドルモータ、１９  一回転交替判定回路、２３  ＦＩＦＯメモリ残量検知回路、２５  分配回路、２７  記録制御回路、２９シーク完了検知回路、３０  全シーク完了検知回路、５０  欠陥セクタ検出回路。
【図１】
0003595822.tif 000002
【図２】
0003595822.tif 000003
【図３】
0003595822.tif 000004
【図４】
0003595822.tif 000005
【図５】
0003595822.tif 000006
【図６】
0003595822.tif 000007
【図７】
0003595822.tif 000008
【図８】
0003595822.tif 000009
【図９】
0003595822.tif 000010
【図１０】
0003595822.tif 000011
【図１１】
0003595822.tif 000012